(57)【要約】【課題】新たに装置を設置することなく、かご内から降車する乗客と乗場にいる待客との衝突を防ぎ、より安全なサービスが行えるようにしたエレベータの到着報知装置を提供する。【解決手段】乗場の利用者に、エレベータかごの到着を報知するエレベータの到着報知装置であって、到着報知遅延のために停止しようとする階に乗場呼び登録とかご呼び登録があることを検出し、停止しようとする階に乗場呼び登録とかご呼び登録がある時には、例えば停止階においてかご内の乗客の降車を確認した時点で到着報知を行わせるようにした９，１１，１２。【選択図】　　　　図１
2004067273.tif 000002
【特許請求の範囲】
【請求項１】
乗場の利用者に、エレベータかごの到着を報知するエレベータの到着報知装置であって、停止しようとする階に乗場呼び登録とかご呼び登録がある時に到着報知開始を遅らせることを特徴とするエレベータの到着報知装置。
【請求項２】
到着報知遅延のために停止しようとする階に乗場呼び登録とかご呼び登録があることを検出する到着報知遅延手段と、
前記停止しようとする階に乗場呼び登録とかご呼び登録がある時に、かご内の乗客の降車を確認した時点で到着報知を行わせる出力を発生する到着報知出力手段と、
を備えたことを特徴とする請求項１に記載のエレベータの到着報知装置。
【請求項３】
到着報知遅延のために停止しようとする階に乗場呼び登録とかご呼び登録があることを検出すると共に、エレベータかごの戸開完了タイミングを得る到着報知遅延手段と、
前記停止しようとする階に乗場呼び登録とかご呼び登録がある時に、前記戸開完了タイミングで到着報知を行わせる出力を発生する到着報知出力手段と、
を備えたことを特徴とする請求項１に記載のエレベータの到着報知装置。
【請求項４】
到着報知遅延のために停止しようとする階に乗場呼び登録とかご呼び登録があることを検出すると共に、エレベータかごの戸開開始タイミングを得る到着報知遅延手段と、
前記停止しようとする階に乗場呼び登録とかご呼び登録がある時に、前記戸開開始タイミングで到着報知を行わせる出力を発生する到着報知出力手段と、
を備えたことを特徴とする請求項１に記載のエレベータの到着報知装置。
【発明の詳細な説明】
【０００１】
【発明の属する技術分野】
この発明はエレベータかごの到着を報知するエレベータの到着報知装置に関するものである。
【０００２】
【従来の技術】
従来から、エレベータかごの到着は到着表示によってエレベータ乗場の乗客に報知されている。この到着表示については、例えば特開昭５９−２６８７４号公報にも掲載されているように、通常、各エレベータかごの乗場にホールランタンと到着チャイムを設け、エレベータかごが停止決定して戸開開始４、５秒前になるとホールランタンが点滅するとともに、到着チャイムが連音で鳴動する。
【０００３】
そして、乗客の乗降が終了して戸閉完了直前になると、ホールランタンの点滅が止まり消灯状態になる。この到着表示の状態によって乗客はエレベータかごに乗込むための準備ができるため、エレベータかごの到着に気付かず乗損なったり乗遅れたりすることがないようにしている。
【０００４】
また、例えば特開昭５９−１７７２７７号公報に掲載されているように停止決定しているかごより数秒先に他のかごが到着（以下、予報外れとする）した場合、乗客が先に到着した予報外れかごに乗ってしまうと、エレベータかごの走行方向、乗場呼び、かご呼び等の情報に基づき作成される運行スケジュールに合わなくなり、修正されたとしても、運行サービスの面、さらに制御の面でも、都合が悪くなり、運転効率、サービス効率が低下する。
【０００５】
そのため先に到着した予報外れかごに乗らないように到着表示タイミングを予報かごが到着した時の到着表示タイミングより遅らせ、見かけ上予報外れが起こっていないようにすることによって、予報かごに乗客を乗車させることができる。このような到着表示によって、エレベータかごへの乗降が速やかに行え、エレベータの運転効率の低下を防止している。
【０００６】
【発明が解決しようとする課題】
以上のような従来のエレベータの到着報知装置において、前者の装置は、待客をホールランタンの点灯したかごの乗場へ誘導するための装置であるため、誘導された待客はエレベータのドアが開き始めたらすぐかご内へ乗り込もうとするが、この時、かご内に停止階に降車する乗客がいた場合、かご内から降車する乗客と乗場にいる待客とが衝突する可能性がある。
【０００７】
また、特開昭５９−１７７２７７号公報では、予報外れのとき到着表示タイミングを遅らせているが、予報外れのときのみであるため、かご内から降車する乗客と、乗場にいる待客との衝突を防ぐことはできない。
【０００８】
この発明は上記のような課題を解決するためになされたもので、新たに装置を設置することなく、かご内から降車する乗客と乗場にいる待客との衝突を防ぎ、より安全なサービスが行えるようにしたエレベータの到着報知装置を提供することを目的とする。
【０００９】
【課題を解決するための手段】
上記の目的に鑑み、この発明は、乗場の利用者に、エレベータかごの到着を報知するエレベータの到着報知装置であって、停止しようとする階に乗場呼び登録とかご呼び登録がある時に到着報知開始を遅らせることを特徴とするエレベータの到着報知装置にある。
【００１０】
また、到着報知遅延のために停止しようとする階に乗場呼び登録とかご呼び登録があることを検出する到着報知遅延手段と、前記停止しようとする階に乗場呼び登録とかご呼び登録がある時に、かご内の乗客の降車を確認した時点で到着報知を行わせる出力を発生する到着報知出力手段と、を備えたことを特徴とする。
【００１１】
また、到着報知遅延のために停止しようとする階に乗場呼び登録とかご呼び登録があることを検出すると共に、エレベータかごの戸開完了タイミングを得る到着報知遅延手段と、前記停止しようとする階に乗場呼び登録とかご呼び登録がある時に、前記戸開完了タイミングで到着報知を行わせる出力を発生する到着報知出力手段と、を備えたことを特徴とする。
【００１２】
また、到着報知遅延のために停止しようとする階に乗場呼び登録とかご呼び登録があることを検出すると共に、エレベータかごの戸開開始タイミングを得る到着報知遅延手段と、前記停止しようとする階に乗場呼び登録とかご呼び登録がある時に、前記戸開開始タイミングで到着報知を行わせる出力を発生する到着報知出力手段と、を備えたことを特徴とする。
【００１３】
【発明の実施の形態】
図１はこの発明の一実施の形態によるエレベータの到着報知装置を含むエレベータ制御システムの構成を示すブロック図である。図１において、１は乗場に設置された乗場釦、２は乗場釦１が押された階の乗場呼びを登録する乗場呼び登録手段、３はかご内に設置された行先釦（実際にはエレベータかご６内に設けられている）、４は押されたかご内行先釦３を登録するかご呼び登録手段、５はエレベータの運行を制御するエレベータ制御手段、６はエレベータかご、７はかご負荷を検出する秤、８はかご負荷などから降車を検出する降車検出手段である。
【００１４】
９は乗場呼び登録手段２およびかご呼び登録手段４から乗場呼び、かご呼びの登録状況を取り出し、それによって到着報知を遅延するか否か判断する到着報知遅延手段、１０はエレベータかごが指定階に到着したか否かを検出するかご到着検出手段、１１は到着報知遅延手段９の到着報知遅延検出の有無によって、到着報知出力タイミングを降車検出手段８での降車検出時とかご到着検出手段１０のかご到着検出時とで切替える到着報知出力手段、そして１２は乗り場にある到着報知器（表示、音声またはその両方）である。
【００１５】
なお、２、４、５、８、９、１０、１１はエレベータ制御装置内にあり、さらに１〜８、１２は周知の装置である。
【００１６】
図２は図１のシステムの特に到着報知遅延手段９、到着報知出力手段１１、到着報知器１２からなるこの発明の到着報知装置の動作の一例を示すフローチャートであり、以下、これに従って動作を説明する。まず、ステップＳ２１で到着報知遅延手段９がエレベータ制御手段５から、かご６が停止決定しているか否かを検出する。停止決定を検出していない場合は動作を終了する。停止決定を検出している場合は、ステップＳ２２で停止決定している階に乗場呼びが登録されているか否かを検出する。乗り場呼びが登録されていなければステップＳ２５へ進み、通常通りの到着報知出力を開始する。
【００１７】
ステップＳ２２で乗り場呼びが登録されていればステップＳ２３へ進み、停止決定している階にかご呼びが登録されているか否かを検出する。かご呼びが登録されていないときはステップＳ２５へ進み、通常通りの到着報知出力を開始する。一方、かご呼びが登録されていれば、ステップＳ２４へ進み、到着報知出力手段１１で降車検出手段８よりかご内の乗客が停止決定していた階で降車したか否かを検出し、検出されなかったらステップＳ２４を繰り返す。
【００１８】
停止決定した階での降車が検出されたら、ステップＳ２５に進み、またはステップＳ２４により乗客の停止決定していた階での降車が決定されたタイミングに従って、ステップＳ２５において到着報知出力を開始する。そしてステップＳ２６において到着報知遅延手段９がエレベータ制御手段５から戸閉完了を検出したら、ステップＳ２７に進み、到着報知出力を終了し、動作を終了する。
【００１９】
なお、この発明は上記の実施の形態に限定されるものではなく、その趣旨を変更しない範囲内で種々変形して実施することができる。例えば、上記実施の形態では到着表示を開始するタイミングを降車検出したときとしたが、エレベータ制御手段５等から到着報知遅延手段９を介して得られる戸開開始や戸開完了などのタイミング（時点）に変えることができる。
【００２０】
【発明の効果】
以上のようにこの発明によれば、乗場の利用者に、エレベータかごの到着を報知するエレベータの到着報知装置であって、停止しようとする階に乗場呼び登録とかご呼び登録がある時に到着報知開始を遅らせることを特徴とするエレベータの到着報知装置としたので、乗場の待ち客のエレベータに乗込むための準備が遅れるため、かご内の降車する乗客と乗場の待ち客とが衝突することが無くなり、安全なエレベータのサービスを提供することができる。
【００２１】
また、到着報知遅延のために停止しようとする階に乗場呼び登録とかご呼び登録があることを検出する到着報知遅延手段と、前記停止しようとする階に乗場呼び登録とかご呼び登録がある時に、かご内の乗客の降車を確認した時点で到着報知を行わせる出力を発生する到着報知出力手段と、を備えたので、乗客の降車確認後に乗車の乗客に到着報知をすることができる。
【００２２】
また、到着報知遅延のために停止しようとする階に乗場呼び登録とかご呼び登録があることを検出すると共に、エレベータかごの戸開完了タイミングを得る到着報知遅延手段と、前記停止しようとする階に乗場呼び登録とかご呼び登録がある時に、前記戸開完了タイミングで到着報知を行わせる出力を発生する到着報知出力手段と、を備えたので、かごの戸開完了後に乗車の乗客に到着報知をすることができる。
【００２３】
また、到着報知遅延のために停止しようとする階に乗場呼び登録とかご呼び登録があることを検出すると共に、エレベータかごの戸開開始タイミングを得る到着報知遅延手段と、前記停止しようとする階に乗場呼び登録とかご呼び登録がある時に、前記戸開開始タイミングで到着報知を行わせる出力を発生する到着報知出力手段と、を備えたので、かごの戸開開示後に乗車の乗客に到着報知をすることができる。
【図面の簡単な説明】
【図１】この発明の一実施の形態によるエレベータの到着報知装置を含むエレベータ制御システムの構成を示すブロック図である。
【図２】図１のシステム中のこの発明の到着報知装置の動作の一例を示すフローチャートである。
【符号の説明】
１　乗場釦、２　乗場呼び登録手段、３　かご内行先釦、４　かご呼び登録手段、５　エレベータ制御手段、６　エレベータかご、７　秤、８　降車検出手段、９　到着報知遅延手段、１０　かご到着検出手段、１１　到着報知出力手段、１２　到着報知器。
【図１】
2004067273.tif 000003
【図２】
2004067273.tif 000004